(57)【特許請求の範囲】
【請求項１】
上下階の各階スペースと、それら各階スペースへ昇降するための階段が設置された階段スペースと、を備えた建物に適用される吸音構造であって、
前記階段の表面を構成し、通気機能を有する通気板部と、
前記階段に内蔵され、前記通気板部を通じて入り込んだ音を吸音するための吸音空間と、を備え、
前記吸音空間には、シート状の吸音材が設置されており、
前記階段は、複数の踏板と、各踏板間に設けられた蹴込み板と、を有し、
さらに、前記通気板部は前記蹴込み板であり、
前記踏板及び前記蹴込み板の裏側に設置され、踏板及び蹴込み板とともに前記吸音空間を形成する仕切部と、
前記踏板及び前記蹴込み板をその側方において支持する側板と、をさらに備え、
前記仕切部は、前記階段の複数の段に亘って位置するように設置されているとともに、前記側板に設けられた固定用下地に固定されたものであり、
前記吸音材は、前記仕切部又は前記固定用下地の少なくとも一方に組み付けることで、前記吸音空間において前記階段の複数の段に亘って位置するように設置されていることを特徴とする吸音構造。
【請求項２】
前記階段の下方に部屋が形成される建物に適用され、
前記仕切部は、前記階段の複数の段に亘って位置するように設置され、前記部屋を仕切るための仕切壁を構成するものであることを特徴とする請求項１に記載の吸音構造。
【請求項３】
複数の踏板と、各踏板の両端部を支持する側板と、各踏板間に設けられた蹴込み板と、を備えた階段に適用される吸音構造の製造方法であって、
通気性を有する蹴込み板と前記踏板とが一体化されているとともに、これら蹴込み板及び踏板が設置された領域の裏側に固定用下地が一体化された前記側板を、建物の壁に組み付ける第１組み付け工程と、
前記踏板及び前記蹴込み板の裏側に、前記蹴込み板を通じて入り込んだ音を吸音するための吸音空間が形成されるように前記固定用下地に仕切板を組み付ける第２組み付け工程と、
を備えており、
前記第２組み付け工程において、前記吸音空間内に吸音材が内蔵されることを特徴とする吸音構造の製造方法。
【請求項４】
前記第２組み付け工程では、前記吸音材が一体化された仕切板を前記固定用下地に組み付けることを特徴とする請求項３に記載の吸音構造の製造方法。
【請求項５】
前記第２組み付け工程は、前記吸音材を前記固定用下地に組み付ける工程と、吸音材が組み付けられた固定用下地に前記仕切板を組み付ける工程と、を備えていることを特徴とする請求項３に記載の吸音構造の製造方法。
【発明の詳細な説明】
【技術分野】
【０００１】
本発明は、階段スペースを通じて上階スペース又は下階スペースに音が伝搬することを抑制可能な吸音構造、それを備えた建物及び吸音構造の製造方法に関するものである。
【背景技術】
【０００２】
住宅などの建物において、床、壁又は天井などに特許文献１に示すような化粧吸音板を適用したものが知られている。この場合、室内空間において発生した音は、床、壁又は天井などに設けられた化粧吸音板にて吸音され、室外へ漏れてしまうことが抑制される。
【０００３】
ここで、複数階建物では、上下階の各スペースへ昇降するための階段が設けられているのが一般的である。この場合に、当該階段が設けられたスペースを通じて、上階スペースにて発生した音が下階スペースに伝搬したり、下階スペースにて発生した音が上階スペースに伝搬したりすることがある。特に、下階スペースのリビングルームなどといった居室スペースに上下階の吹き抜けスペースを備えるとともに、その吹き抜けスペースに階段が設けられた建物においては、その居室スペースにて発生した音がそのまま上階スペースに伝搬し、また上階スペースにて発生した音がそのまま居室スペースに伝搬してしまう。
【特許文献１】特開２０００−１４１５８２号公報
【発明の開示】
【発明が解決しようとする課題】
【０００４】
上記問題に対して、階段スペースの壁や天井に上記化粧吸音板を適用する構成が考えられる。しかしながら、上記化粧吸音板は屋内側の壁面や天井面に設置されるものであるため、階段スペースの壁や天井の一部のみに上記化粧吸音板を設置すると内装デザイン上好ましくなく、その一方、階段スペースの壁や天井の全体に上記化粧吸音板を設置するとコスト高となってしまう。さらには、上記化粧吸音板を適用する場合、建物の内装デザインについて選択の幅が狭められてしまう。
【０００５】
本発明は、上記事情に鑑みなされたものであり、複数階建ての建物において階段スペースを通じて上階スペース又は下階スペースに音が伝搬することを良好に抑制可能な吸音構造、それを備えた建物及び吸音構造の製造方法を提供することを目的とするものである。
【課題を解決するための手段】
【０００６】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００７】
本発明の吸音構造は、上下階の各階スペース（１階スペース１２、２階スペース１３）と、それら各階スペースへ昇降するための階段が設置された階段スペース（階段スペース１４）と、を備えた建物（２階建てユニット式建物１０）に適用されるものであり、前記階段（階段ユニット２０）又は前記階段スペースを区画するように設けられた階段腰壁（階段腰壁６１，７１）のいずれかである階段スペース構成体の表面を構成し、通気機能を有する通気板部（蹴込み板２３、腰壁側板６２ａ，６２ｂ）と、前記階段スペース構成体に内蔵され、前記通気板部を通じて入り込んだ音を吸音するための吸音空間（内部空間２６，４２，６５，７２）と、を備えていることを特徴とする。
【０００８】
本構成によれば、下階スペース又は上階スペースの一方において発生した音であって階段スペースに伝搬してきた音は、通気板部を通じて吸音空間に入り込むことで当該吸音空間において吸音される。これにより、階段スペースを通じて、上階スペースにて発生した音が下階スペースに伝搬したり、下階スペースにて発生した音が上階スペースに伝搬したりすることが抑制される。また、階段を昇降する際に発生する音も吸音空間において吸音することが可能である。特に、本構成では階段スペース構成体に内蔵された吸音空間を利用して吸音構造が設けられているため、建物のデッドスペースを有効利用して上記優れた効果を得ることができ、さらには化粧吸音板を設ける構成に比べ内装デザインについて選択の幅を狭めることなく吸音構造を設けることができる。
【０００９】
前記吸音空間において吸音するための具体的な構成としては、当該吸音空間に吸音材（吸音材２９，６８）を設置する構成が考えられる。この場合、比較的簡素な構成により、上記優れた効果を得ることができる。
【００１０】
上記のように吸音材を設置する構成を、複数の踏板（踏板２１）と、各踏板間に設けられた蹴込み板（蹴込み板２３）と、を有する階段に適用してもよい。この場合、前記通気板部を前記蹴込み板とし、さらに前記踏板及び前記蹴込み板の裏側に設置され、踏板及び蹴込み板とともに前記吸音空間を形成する仕切部（石膏ボード２５）を備えた構成としてもよい。本構成とすることにより、階段に対して吸音構造が付与されるとともに、階段におけるデッドスペースを有効利用して当該吸音構造が付与される。
【００１１】
なお、蹴込み板に通気機能を付与する具体的な構成としては、蹴込み板に板厚方向に貫通する貫通孔部（スリット２７）を形成する構成が考えられる。当該構成において、貫通孔部を踏板に形成する構成も想定されるが、この場合、階段の昇降に際して当該貫通孔部が邪魔となるおそれがあり、さらには当該貫通孔部内に埃やゴミなどが入り込み易くなる。これに対して、貫通孔部を蹴込み板に形成することにより、上記のような不都合が生じることはない。
【００１２】
また、吸音構造を、前記階段の下方に部屋（部屋３３）が形成される建物に適用する場合、前記仕切部を、前記階段の複数の段に亘って位置するように設置し、前記部屋を仕切るための仕切壁を構成するものとしてもよい。本構成によれば、仕切部が多機能化され、比較的簡素な構成により吸音空間を形成することができる。
【００１３】
また、前記踏板及び前記蹴込み板をその側方において支持する側板（側板２２）を備え、前記仕切部は、前記階段の複数の段に亘って位置するように設置されているとともに、前記側板に設けられた固定用下地（固定用木下地２４）に固定されたものである構成においては、前記吸音材をシート状とし、さらに当該吸音材を、前記仕切部又は前記固定用下地の少なくとも一方に組み付けることで、前記吸音空間において前記階段の複数の段に亘って位置するように設置してもよい。本構成によれば、吸音材を階段の各段に対して個別に取り付ける必要がなくなり、吸音材の設置作業の作業性を向上させることができる。
【００１４】
上記のように吸音材を設置する構成を、前記階段側の側面を形成する第１板部（第１腰壁側板６２ａ）と、当該第１板部から離間させて設けられ前記階段側とは反対側の側面を形成する第２板部（第２腰壁側板６２ｂ）と、を有する階段腰壁（階段腰壁６１）に適用してもよい。この場合、前記通気板部を前記第１板部又は前記第２板部の少なくとも一方とし、さらに前記第１板部と前記第２板部との間に前記吸音空間を形成する構成としてもよい。本構成とすることにより、階段腰壁に対して吸音構造が付与されるとともに、階段腰壁におけるデッドスペースを有効利用して当該吸音構造が付与される。
【００１５】
また、前記第１板部と前記第２板部とが平行となるように設置されており、さらに前記第１板部は板厚方向に貫通するように形成された第１貫通孔部（第１スリット６６）を有し、当該第１貫通孔部により前記通気機能を有するものであり、前記第２板部は板厚方向に貫通するように形成された第２貫通孔部（第２スリット６７）を有し、当該第２貫通孔部により前記通気機能を有する構成においては、前記第１貫通孔部及び前記第２貫通孔部を、前記階段腰壁の厚み方向に並ばないように形成することが好ましい。本構成によれば、第１板部に第１貫通孔部が形成されているとともに第２板部に第２貫通孔部が形成されていることにより、吸音空間に音が入り込む機会が高められ、吸音を効果的に行うことができる。また、第１貫通孔部及び第２貫通孔部の位置関係が階段腰壁の厚み方向に並ばないように設定されていることにより、第１貫通孔部及び第２貫通孔部を設けることで吸音空間に音が入り込む機会を高めた構成において、下階スペース又は上階スペースの光が第１，第２貫通孔部を通じて階段スペースに入り込むこと、及び階段スペースの光が第１，第２貫通孔部を通じて下階スペース又は上階スペースに入り込むことを阻止することができる。
【００１６】
ちなみに、上記のように通気板部が、板厚方向に貫通するように形成された貫通孔部を有し、当該貫通孔部により前記通気機能を有する構成においては、前記通気板部の裏面に、前記貫通孔部を通じて入り込んだ音の通過を許容するとともに、前記貫通孔部を通じた前記吸音空間への異物の侵入を抑制する通気性シート材（通気性シート材２８）を設置してもよい。この場合、貫通孔部を通じて埃、ゴミ又は虫などが吸音空間内に入り込むことを抑制することができる。
【００１７】
前記吸音空間において吸音するための具体的な構成としては、上記吸音材を設置する構成以外に、以下の構成が考えられる。つまり、前記通気板部が、板厚方向に貫通するように形成された貫通孔部（スリット２７、円形孔７５，７６）を有し、当該貫通孔部により前記通気機能を有するものである構成においては、前記吸音空間が、特定周波数の音を共鳴させて吸音するための共鳴空間を前記貫通孔部とともに形成する構成としてもよい。この場合、吸音材といった吸音用の特別な部材を設置しなくても、階段スペースに伝搬してきた音の吸音を行うことができる。
【００１８】
上記のように共鳴空間を形成する構成を、複数の踏板（踏板２１）と、各踏板間に設けられた蹴込み板（蹴込み板２３）と、を有する階段に適用してもよい。この場合、前記通気板部を前記蹴込み板とし、さらに前記踏板及び前記蹴込み板の裏側に設置され、踏板及び蹴込み板とともに前記共鳴空間を形成する仕切部（仕切板４１）を備えた構成としてもよい。本構成とすることにより、階段に対して吸音構造が付与されるとともに、階段におけるデッドスペースを有効利用して当該吸音構造が付与される。
【００１９】
また、吸音構造を、前記階段の下方に部屋（部屋３３）が形成される建物に適用する場合、前記仕切部を、前記階段の複数の段に亘って位置するように設置し、前記部屋を仕切るための仕切壁を構成するものとしてもよい。本構成によれば、仕切部が多機能化され、比較的簡素な構成により共鳴空間を形成することができる。
【００２０】
また、異なる段を構成する第１蹴込み板と第２蹴込み板とのそれぞれに対して個別に第１共鳴空間と第２共鳴空間とを形成するとともに、前記第１共鳴空間の前記特定周波数と前記第２共鳴空間の前記特定周波数とが異なるように、それら第１共鳴空間と第２共鳴空間とを形成することが好ましい。本構成によれば、複数パターンの周波数の音を吸音することが可能となり、当該吸音を良好に行うことができる。
【００２１】
また、一の蹴込み板に形成された第１貫通孔部及び第２貫通孔部のそれぞれに対して個別に第１共鳴空間と第２共鳴空間とを形成するとともに、前記第１共鳴空間の前記特定周波数と前記第２共鳴空間の前記特定周波数とが異なるように、それら第１共鳴空間と前記第２共鳴空間とを形成することが好ましい。本構成によっても、複数パターンの周波数の音を吸音することが可能となり、当該吸音を良好に行うことができる。
【００２２】
上記のように共鳴空間を形成する構成を、前記階段側の側面を形成する第１板部（第１腰壁側板６２ａ）と、当該第１板部から離間させて設けられ前記階段側とは反対側の側面を形成する第２板部（第２腰壁側板６２ｂ）と、を有する階段腰壁（階段腰壁７１）に適用してもよい。この場合、前記通気板部を前記第１板部又は前記第２板部の少なくとも一方とし、さらに前記第１板部と前記第２板部との間の吸音空間を用いて前記共鳴空間を形成する構成としてもよい。本構成とすることにより、階段腰壁に対して吸音構造が付与されるとともに、階段腰壁におけるデッドスペースを有効利用して当該吸音構造が付与される。
【００２３】
また、前記第１板部と前記第２板部とが平行となるように設置されており、さらに前記第１板部は板厚方向に貫通するように形成された第１貫通孔部（第１円形孔７５）を有し、当該第１貫通孔部により前記通気機能を有するものであり、前記第２板部は板厚方向に貫通するように形成された第２貫通孔部（第２円形孔７６）を有し、当該第２貫通孔部により前記通気機能を有する構成においては、前記第１貫通孔部及び前記第２貫通孔部を、前記階段腰壁の厚み方向に並ばないように形成することが好ましい。本構成によれば、第１板部に第１貫通孔部が形成されているとともに第２板部に第２貫通孔部が形成されていることにより吸音空間に音が入り込む機会が高められ、吸音を効果的に行うことができる。また、第１貫通孔部及び第２貫通孔部の位置関係が階段腰壁の厚み方向に並ばないように設定されていることにより、第１貫通孔部及び第２貫通孔部を設けることで吸音空間に音が入り込む機会を高めた構成において、下階スペース又は上階スペースの光が第１，第２貫通孔部を通じて階段スペースに入り込むこと、及び階段スペースの光が第１，第２貫通孔部を通じて下階スペース又は上階スペースに入り込むことを阻止することができる。
【００２４】
また、前記第１板部と前記第２板部との間に仕切部（仕切板７３）を設けて前記吸音空間を複数の空間に仕切ることで、前記共鳴空間として第１共鳴空間と第２共鳴空間とを有する構成とし、前記第１共鳴空間の前記特定周波数と前記第２共鳴空間の前記特定周波数とが異なるように、それら第１共鳴空間と第２共鳴空間とを形成することが好ましい。本構成によれば、複数パターンの周波数の音を吸音することが可能となり、当該吸音を良好に行うことができる。
【００２５】
複数の建物ユニットが組み付けられてなり、前記上下階の各階スペースと、それら各階スペースへ昇降するための階段が設置された階段スペースと、を備えたユニット式建物について、前記複数の建物ユニットのいずれかに、以上説明した吸音構造を設置してもよい。ユニット式建物においては、階段が組み付けられる建物ユニットは階段スペース以外に部屋の一部も構成することとなる。この場合、階段スペースのみに化粧吸音板を設けることは困難であり、その建物ユニットの内装全体に化粧吸音板を設けると、当該建物ユニットが一部を構成している部屋の内装全体に化粧吸音板を設ける必要が生じ、コスト高となり、さらには内装デザインについて選択の幅を狭めることとなる。これに対して、上記吸音構造を適用することにより階段スペース構成体に内蔵された吸音空間を利用して吸音構造が設けられるため、上記のような不都合を生じさせることなく吸音構造を好適に設けることができる。
【００２６】
複数の踏板（踏板２１）と、各踏板の両端部を支持する側板（側板２２）と、各踏板間に設けられた蹴込み板（蹴込み板２３）と、を備えた階段に適用される吸音構造の製造方法としては、通気性を有する蹴込み板と前記踏板とが一体化されているとともに、これら蹴込み板及び踏板が設置された領域の裏側に固定用下地（固定用木下地２４）が一体化された前記側板を、建物の壁（壁３１、階段腰壁３２）に組み付ける第１組み付け工程と、前記踏板及び前記蹴込み板の裏側に、前記蹴込み板を通じて入り込んだ音を吸音するための吸音空間（内部空間２６）が形成されるように前記固定用下地に仕切板（石膏ボード２５）を組み付ける第２組み付け工程と、を備え、前記第２組み付け工程において、前記吸音空間内に吸音材（吸音材２９）を内蔵させる構成が考えられる。これにより、吸音空間内に吸音材を内蔵させることができる。
【００２７】
また、上記製造方法において、前記第２組み付け工程では、前記吸音材が一体化された仕切板を前記固定用下地に組み付ける構成としてもよい。本構成によれば、仕切板を組み付けることで、吸音空間の形成と当該吸音空間への吸音材の設置とが同時に完了することとなり、吸音構造の製造を効率良く行うことができる。また、例えば蹴込み板又は踏板に個別に吸音材を設置する構成を想定すると、階段の各段に個別に吸音材を設置する必要が生じるが、本構成においてはこのような手間を省くことができる。
【００２８】
また、上記製造方法において、前記第２組み付け工程が、前記吸音材を前記固定用下地に組み付ける工程と、吸音材が組み付けられた固定用下地に前記仕切板を組み付ける工程と、を備えた構成としてもよい。本構成であっても、階段の各段に個別に吸音材を設置する必要はなく、吸音構造の製造を効率良く行うことができる。
【発明を実施するための最良の形態】
【００２９】
（第１の実施の形態）
以下、本発明を２階建てユニット式建物１０に具体化した第１の実施の形態を図面に基づいて説明する。図２は、２階建てユニット式建物１０の概要を示す略図である。
【００３０】
２階建てユニット式建物１０に使用される複数の建物ユニット１１は、工場にてあらかじめ生産され、その後、トラック等により建物施工現場に運搬されて建物ユニット１１同士が連結、組み付けられるものとなっている。本２階建てユニット式建物１０は、上記複数の建物ユニット１１が連結、組み付けられ、１階スペース１２及び２階スペース１３が形成されているとともに、各階スペース１２，１３にそれぞれ複数の部屋が形成されている。また、１階スペース１２と２階スペース１３とを繋ぐように階段スペース１４が形成されている。
【００３１】
複数の建物ユニット１１のうち１つの建物ユニット１１ａは、１階スペース１２の部屋の一部と階段スペース１４とを構成しており、当該建物ユニット１１には階段ユニット２０が組み付けられている。
【００３２】
階段ユニット２０について説明する。図１は階段ユニット２０の縦断面図であり、図３は階段ユニット２０の斜視図である。階段ユニット２０は、複数の踏板２１と、その複数の踏板２１の両端部を支持する側板２２と、各踏板２１間に設けられる蹴込み板２３と、踏板２１及び蹴込み板２３の下方において側板２２に両端部が支持された複数の固定用木下地２４と、固定用木下地２４の下方に設けられ当該固定用木下地２４に支持された石膏ボード２５と、を備えている。
【００３３】
当該階段ユニット２０は、図３に示すように、壁３１と階段腰壁３２との間に設けられており、対向する一方の側板２２が壁３１に固定されており、他方の側板２２が階段腰壁３２に固定されている。なお、階段ユニット２０としては、様々な型の階段が考えられ、例えば、Ｊ型階段、Ｕ型階段、Ｌ型階段又はＣ型階段などが挙げられる。
【００３４】
石膏ボード２５は、階段ユニット２０の複数の段に亘って位置するように設けられており、踏板２１及び蹴込み板２３の下方に所定の内部空間２６を形成するための仕切板としての機能を有している。当該内部空間２６は、踏板２１と、側板２２と、蹴込み板２３と、石膏ボード２５とにより区画されている。また、階段ユニット２０の下方には収納室などの部屋３３が形成されており、石膏ボード２５は当該部屋３３の仕切壁の一部を構成している。なお、石膏ボード２５の部屋３３側の板面に壁紙を貼り付けてもよい。
【００３５】
ここで、階段ユニット２０には、吸音構造が設けられている。この吸音構造について以下に詳細に説明する。
【００３６】
階段ユニット２０は、上記のとおり、踏板２１と、側板２２と、蹴込み板２３と、石膏ボード２５とにより区画された内部空間２６を備えている。内部空間２６は、蹴込み板２３に形成された貫通孔部を通じて階段移動スペース１４ａ側に開放されている。この貫通孔部として詳細には、各蹴込み板２３には、図３に示すように、横方向に延びるスリット２７が形成されている。スリット２７は、蹴込み板２３の横幅よりも若干小さい長さ寸法を有しており、上下に複数（具体的には、２個）形成されている。当該スリット２７は、蹴込み板２３をその厚み方向に貫通している。
【００３７】
なお、貫通孔部は上記スリット２７に限定されることはない。例えば、図４（ａ）に示すように、蹴込み板２３を鋼材によりメッシュ状に形成することで貫通孔部を有する構成としてもよく、図４（ｂ）に示すように、貫通孔部として円形又は楕円形といった小孔を複数形成してもよい。また、図４（ｂ）の構成においては、蹴込み板２３としてパンチングメタルを用いてもよい。
【００３８】
蹴込み板２３にスリット２７が形成されていることにより、内部空間２６が階段移動スペース１４ａ側に開放されており、これら内部空間２６と階段移動スペース１４ａとの間の通気性が確保されている。ちなみに、蹴込み板２３の裏面には、図１に示すように、通気性シート材２８が設けられている。通気性シート材２８は、目の細かい布やフィルタ等からなり、スリット２７を通じて埃、ゴミ又は虫などが内部空間２６内に入り込むことを抑制する機能を有している。
【００３９】
内部空間２６には、図１に示すように、吸音材２９が設けられている。この吸音材２９としては、グラスウール、ロックウール、フェルト、吸音ボード、軟質繊維板又は発泡合成樹脂シート等が考えられる。また、低周波数又は高周波数の特定周波数の吸音が可能な吸音材２９を用いてもよく、比較的広い周波数域の吸音が可能な吸音材２９を用いてもよい。
【００４０】
吸音材２９はシート状に形成されており、石膏ボード２５の上面に組み付けられている。この場合に、吸音材２９は石膏ボード２５の上面において各固定用木下地２４間に位置するように複数設置されており、一の吸音材２９は階段ユニット２０の複数の段に亘って位置している。
【００４１】
なお、吸音材２９の組み付け箇所は石膏ボード２５に限定されることはない。例えば、図５（ａ）に示すように、吸音材２９を固定用木下地２４に組み付けるようにしてもよい。この場合、石膏ボード２５の上面において各固定用木下地２４間に吸音材２９を設置する構成に比べ、長い吸音材２９を用いることができる。また、図５（ｂ）に示すように、吸音材２９を踏板２１の裏面に組み付けてもよい。この場合、各踏板２１に対して個別に吸音材２９を組み付ける必要がある。また、図５（ｃ）に示すように、１段毎に個別に内部空間２６を形成し、それら各内部空間２６に吸音材２９を充填させてもよい。さらには、蹴込み板２３に吸音材２９を組み付けるようにしてもよい。また、図１、図５（ａ）〜図５（ｃ）の吸音材２９の組み付け構成を任意に組み合わせて適用してもよい。
【００４２】
ここで、上記吸音構造を有する階段ユニット２０の施工方法について図６を用いて説明する。
【００４３】
階段ユニット２０の施工に際しては、先ず図６（ａ）に示すように、準備工程として、側板２２に踏板２１を支持させるとともに、各踏板２１間に蹴込み板２３を設置する。この場合、蹴込み板２３には、スリット２７が既に形成されているとともに、その裏面には通気性シート材２８が設けられている。また、対向する側板２２間には固定用木下地２４が固定されている。
【００４４】
その後、図６（ｂ）に示すように、側板２２を壁３１及び階段腰壁３２に固定する工程を行う。その後、図６（ｃ）に示すように、予め板面に吸音材２９が組み付けられた石膏ボード２５を固定用木下地２４に固定する工程を行う。これにより、階段ユニット２０の施工が完了する。なお、吸音材２９の組み付け構成を図５（ａ）に示す構成とする場合には、側板２２を壁３１及び階段腰壁３２に固定した後に、固定用木下地２４に吸音材２９を固定する。そして、その後に石膏ボード２５を固定用木下地２４に固定するとよい。
【００４５】
以上のように本実施の形態によれば、吸音構造が設けられていることにより、１階スペース１２又は２階スペース１３の一方において発生した音であって階段スペース１４に伝搬してきた音は、スリット２７を通じて内部空間２６に入り込むことで当該内部空間２６に設置された吸音材２９において吸音される。これにより、階段スペース１４を通じて、２階スペース１３にて発生した音が１階スペース１２に伝搬したり、１階スペース１２にて発生した音が２階スペース１３に伝搬したりすることが抑制される。また、階段を昇降する際に踏板２１を踏むことで発生する音も吸音材２９において吸音することができる。
【００４６】
特に、階段ユニット２０の内部空間２６を利用して吸音構造を設けたことにより、建物のデッドスペースを有効利用することができるだけでなく、化粧吸音板を設ける構成に比べ内装デザインについて選択の幅を狭めることなく吸音機能を付与することができる。
【００４７】
また、化粧吸音板を設ける構成においては、階段スペース１４の壁や天井の一部のみに上記吸音板を設置すると内装デザイン上好ましくなく、その一方、階段スペース１４の壁や天井の全体に上記吸音板を設置するとコスト高となってしまう。さらには、ユニット式建物においては、階段ユニット２０が組み付けられる建物ユニット１１は階段スペース１４以外に部屋の一部も構成することとなる。この場合、階段スペース１４のみに化粧吸音板を設けることは困難であり、その建物ユニット１１の内装全体に化粧吸音板を設けると、当該建物ユニット１１が構成している部屋の内装全体に化粧吸音板を設ける必要が生じ、コスト高となり、さらには内装デザインについて選択の幅を狭めることとなる。これに対して、本実施の形態における構成によれば、階段ユニット２０の内部空間２６を利用して吸音構造が設けられていることにより、上記のような不都合を生じさせることなく吸音機能を好適に付与することができる。
【００４８】
内部空間２６の下側を石膏ボード２５により仕切るようにした。そして、当該石膏ボード２５は、階段ユニット２０の下方に設けられた部屋を仕切る仕切壁としての機能も有している。このように石膏ボード２５を内部空間２６の下側を仕切る仕切板として兼用することにより、比較的簡素な構成により内部空間２６を形成することができる。
【００４９】
また、貫通孔部としてのスリット２７を踏板２１ではなく蹴込み板２３に形成した。当該スリット２７を踏板２１に形成した場合を想定すると、階段の昇降に際して当該スリット２７が邪魔となるおそれがあり、さらには当該スリット２７内に埃やゴミなどが入り込み易くなる。これに対して、スリット２７を蹴込み板２３に形成したことにより、上記のような不都合が生じることはない。
【００５０】
また、図１又は図５（ａ）のようにシート状の吸音材２９を石膏ボート２５又は固定用木下地２４に組み付け、さらには複数の段に亘って位置するように設置したことにより、吸音材２９を階段の段毎に個別に設置する必要がなく、吸音材２９の設置作業の作業効率を向上させることができる。
【００５１】
（第２の実施の形態）
本実施の形態では、階段ユニット２０に設けられた吸音構造の構成が上記第１の実施の形態と異なっている。本実施の形態における吸音構造を、図７を用いて以下に説明する。図７は、階段ユニット２０の縦断面図である。
【００５２】
図７に示すように、階段ユニット２０は、上記第１の実施の形態と同様に、踏板２１と、側板２２と、蹴込み板２３と、固定用木下地２４と、を備えている。但し、本実施の形態では、石膏ボード２５に代えて、仕切板４１が設けられている。仕切板４１は合板などからなり、比較的通気性が低いものが用いられている。仕切板４１はその上面が各蹴込み板２３の下端部に接するように設置されており、階段ユニット２０には１段毎に個別に内部空間４２が形成されている。
【００５３】
蹴込み板２３には、上記第１の実施の形態と同様に、貫通孔部としてスリット２７が形成されており、当該スリット２７を通じて内部空間４２は階段移動スペース１４ａ側に開放されている。なお、貫通孔部はスリット２７に限定されることはなく、上記第１の実施の形態にて説明したように蹴込み板２３を鋼材によりメッシュ状に形成することで貫通孔部を有する構成等としてもよい。
【００５４】
これらスリット２７及び内部空間４２の組合せにより共鳴空間が形成されている。当該共鳴空間において特定周波数の音が吸音される。この吸音原理について簡単に説明する。内部空間４２にスリット２７を通じて音が入り込むと、内部空間４２の空気がバネとして働き、スリット２７部分の空気が激しく振動することで、上記特定周波数において摩擦損失による大きな吸音作用が生じる。
【００５５】
当該共鳴空間の特定周波数は、下記ヘルムホルツの数式に基づいて算出される。
【００５６】
【数１】
0005225638.tif 000002
Ｆ：特定周波数（Ｈｚ）、Ｃ：音速、Ｓ：スリット２７による共鳴空間の開口部分の断面積、Ｖ：内部空間４２の容積、Ｌ：スリット２７の厚み寸法
ここで、図７に示すように、各段に形成された共鳴空間は、各内部空間４２の容積を異ならせることにより、上記特定周波数が異なるように設定されている。詳細には、内部空間４２内に木片などが設置されていることにより、特定周波数が約１２５Ｈｚ，約２５０Ｈｚ，約５００Ｈｚ，約１ｋＨｚとなる共鳴空間が個別に形成されるように、内部空間４２の容積が設定されている。ちなみに、約１２５Ｈｚは階段を昇降する際の人の足音に相当し、約２５０Ｈｚ，約５００Ｈｚ，約１ｋＨｚは人の話声に相当する。
【００５７】
なお、特定周波数は上記のものに限定されることはなく、例えば、内部空間４２の容積を極端に大きくする又はスリット２７の厚み寸法を極端に大きくすること等により、特定周波数を３１．５Ｈｚや６３Ｈｚとしてもよく、内部空間４２の容積を極端に小さくする又はスリット２７の厚み寸法を極端に小さくすること等により、特定周波数を２ｋＨｚや４ｋＨｚとしてもよい。
【００５８】
以上のように本実施の形態によれば、吸音構造が設けられていることにより、１階スペース１２又は２階スペース１３の一方において発生した音であって階段スペース１４に伝搬してきた音は、スリット２７を通じて共鳴空間に入り込むことで、当該共鳴空間の特定周波数に対応した音が共鳴により吸音される。これにより、階段スペース１４を通じて、２階スペース１３にて発生した音が１階スペース１２に伝搬したり、１階スペース１２にて発生した音が２階スペース１３に伝搬したりすることが抑制される。また、階段を昇降する際に踏板２１を踏むことで発生する音も共鳴空間において吸音することができる。
【００５９】
特に、本実施の形態では、共鳴空間を形成する内部空間４２の容積などを所望のものに設定することで、既存の吸音材では吸音が難しい、例えば低周波数の音を吸音することができる。
【００６０】
また、階段ユニット２０の内部空間４２を利用して吸音構造を設けたことにより、建物のデッドスペースを有効利用することができるだけでなく、化粧吸音板を設ける構成に比べ内装デザインについて選択の幅を狭めることなく上記のような吸音機能を付与することができる。
【００６１】
（第３の実施の形態）
本実施の形態では、上記第２の実施の形態と同様に、階段ユニット２０に吸音構造として共鳴空間が形成されている。但し、共鳴空間の構成が上記第２の実施の形態と異なっている。本実施の形態における吸音構造を、図８を用いて以下に説明する。図８（ａ）及び図８（ｂ）は吸音構造を説明するための説明図、図８（ｃ）は階段ユニット２０の縦断面図である。
【００６２】
図８（ｃ）に示すように、階段ユニット２０は、上記第２の実施の形態と同様に、踏板２１と、側板２２と、蹴込み板２３と、固定用木下地２４と、仕切板４１と、を備えている。仕切板４１はその上面が各蹴込み板２３の下端部に接するように設置されており、階段ユニット２０には１段毎に個別に内部空間４２が形成されている。また、各蹴込み板２３には、図８（ａ）に示すように、貫通孔部としての円形孔５１が多数形成されている。円形孔５１は、一の蹴込み板２３について上段及び下段の各段において横一列に並ぶように形成されている。
【００６３】
当該構成において、一部の蹴込み板２３の裏面には共鳴器５２が組み付けられている。共鳴器５２は、図８（ｂ）及び図８（ｃ）に示すように、箱状をなしており、内部が多数の共鳴室５３に区画されている。これら各共鳴室５３は全て同一方向に開放されており、各共鳴室５３は共鳴器５２が組み付けられる蹴込み板２３に形成された各円形孔５１に１対１で対応している。そして、共鳴器５２は、各共鳴室５３が対応する各円形孔５１の後方に位置し、それぞれが共鳴空間を形成するように、蹴込み板２３に組み付けられている。なお、円形孔５１と共鳴室５３とが１対１で対応していることは必須ではなく、複数の円形孔５１に対して一の共鳴室５３が対応している構成としてもよい。
【００６４】
また、共鳴器５２は、各共鳴室５３が全て同一の容積を有しているのではなく、図８（ｃ）に示すように、相互に異なる容積の共鳴室５３を有するように形成されている。この場合、各共鳴室５３の容積を全て異ならせてもよく、一部のみ異ならせてもよい。
【００６５】
以上のように本実施の形態によれば、上記第３の実施の形態よりも多くの共鳴空間を設けることができ、複数パターンの周波数の音を吸音することが可能となる。
【００６６】
（第４の実施の形態）
本実施の形態では、上記各実施の形態と異なり、吸音構造が階段ユニット２０ではなく、階段腰壁６１ａ，６１ｂに設けられている。本実施の形態における吸音構造を、図９を用いて以下に説明する。図９（ａ）及び図９（ｂ）は階段腰壁６１ａ，６１ｂを説明するための略図、図９（ｃ）は図９（ａ）及び図９（ｂ）のＡ―Ａ線断面図である。
【００６７】
階段腰壁６１ａ，６１ｂとしては、図９（ａ）に示すように階段スペース１４側と１階スペース１２側とを区画する斜め腰壁６１ａや、図９（ｂ）に示すように階段スペース１４側と２階スペース１３側とを区画する吹き抜け区画用の階段腰壁６１ｂなどがある。
【００６８】
図９（ａ）及び図９（ｂ）の階段腰壁６１ａ，６１ｂは、階段腰壁６１ａ，６１ｂの側面を形成する腰壁側板６２と、階段腰壁６１ａ，６１ｂの上面を形成する笠木６３と、階段腰壁６１ａ，６１ｂの下階側端面を形成する縦枠６４と、を備えている。
【００６９】
腰壁側板６２は、図９（ｃ）に示すように、階段側の側面を構成する第１腰壁側板６２ａと、１階スペース１２側又は２階スペース１３側の側面を構成する第２腰壁側板６２ｂと、を備えている。これら第１腰壁側板６２ａと第２腰壁側板６２ｂとは、裏面が向き合うように平行に設置されているとともに、階段腰壁６１ａ，６１ｂ内に内部空間６５が形成されるように相互に離間させて設置されている。
【００７０】
上記構成において、第１腰壁側板６２ａには第１貫通孔部として第１スリット６６が形成されている。第１スリット６６は縦方向に形成されており、横方向に所定の間隔を置いて複数形成されている。当該第１スリット６６により、階段腰壁６１ａ，６１ｂの内部空間６５は階段側の側面にて開放されている。また、第２腰壁側板６２ｂには第２貫通孔部として第２スリット６７が形成されている。第２スリット６７は、第１スリット６６と同様に、縦方向に形成されており、横方向に所定の間隔を置いて複数形成されている。当該第２スリット６７により、内部空間６５は１階スペース１２側又は２階スペース１３側の側面にて開放されている。
【００７１】
第１スリット６６及び第２スリット６７は共に上記のとおり横方向に所定の間隔を置いて複数形成されているが、これら第１スリット６６及び第２スリット６７の位置関係は階段腰壁６１ａ，６１ｂの厚み方向に並ばないように設定されている。つまり、第２腰壁側板６２ｂにおいて第１スリット６６と階段腰壁６１ａ，６１ｂの厚み方向に並ぶ箇所には第２腰壁側板６２ｂの板部が位置しており、第１腰壁側板６２ａにおいて第２スリット６７と階段腰壁６１ａ，６１ｂの厚み方向に並ぶ箇所には第１腰壁側板６２ａの板部が位置している。
【００７２】
なお、第１スリット６６又は第２スリット６７を通じて埃、ゴミ又は虫などが内部空間６５内に入り込むことを抑制すべく、第１腰壁側板６２ａの裏面又は第２腰壁側板６２ｂの裏面の少なくとも一方に、上記第１の実施の形態における通気性シート材２８を設置してもよい。
【００７３】
階段腰壁６１ａ，６１ｂの内部空間６５には、図９（ｃ）に示すように、吸音材６８が設けられている。この吸音材６８としては、グラスウール、ロックウール、フェルト、吸音ボード、軟質繊維板又は発泡合成樹脂シート等が考えられる。また、低周波数又は高周波数の特定周波数の吸音が可能な吸音材６８を用いてもよく、比較的広い周波数域の吸音が可能な吸音材６８を用いてもよい。吸音材６８はシート状に形成されており、第１腰壁側板６２ａ及び第２腰壁側板６２ｂの裏面に設けられた固定用下地６９に組み付けられている。
【００７４】
以上のように本実施の形態によれば、吸音構造が設けられていることにより、１階スペース１２又は２階スペース１３の一方において発生した音であって階段スペース１４に伝搬してきた音は、第１スリット６６又は第２スリット６７の少なくとも一方を通じて内部空間６５に入り込むことで、当該内部空間６５に設置された吸音材６８において吸音される。これにより、階段スペース１４を通じて、２階スペース１３にて発生した音が１階スペース１２に伝搬したり、１階スペース１２にて発生した音が２階スペース１３に伝搬したりすることが抑制される。また、階段を昇降する際に踏板２１を踏むことで発生する音も吸音材６８において吸音することができる。
【００７５】
また、階段腰壁６１ａ，６１ｂの内部空間６５を利用して吸音構造を設けたことにより、建物のデッドスペースを有効利用することができるだけでなく、化粧吸音板を設ける構成に比べ内装デザインについて選択の幅を狭めることなく吸音機能を付与することができる。
【００７６】
また、第１腰壁側板６２ａに第１スリット６６を設けるとともに第２腰壁側板６２ｂに第２スリット６７を設けたことにより、内部空間６５に音が入り込む機会が高められ、吸音を効果的に行うことができる。
【００７７】
また、第１スリット６６及び第２スリット６７の位置関係を階段腰壁６１ａ，６１ｂの厚み方向に並ばないように設定した。これにより、第１スリット６６及び第２スリット６７を設けることで内部空間６５に音が入り込む機会を高めた構成において、１階スペース１２又は２階スペース１３の光がスリット６６，６７を通じて階段スペース１４に入り込むこと、及び階段スペース１４の光がスリット６６，６７を通じて１階スペース１２又は２階スペース１３に入り込むことを阻止することができる。
【００７８】
（第５の実施の形態）
本実施の形態では、上記第４の実施の形態と同様に、階段腰壁７１に吸音構造が設けられている。但し、吸音構造の構成が上記第４の実施の形態と異なっている。本実施の形態における吸音構造を、図１０を用いて以下に説明する。図１０（ａ）は階段腰壁７１を説明するための略図、図１０（ｂ）は図１０（ａ）のＢ―Ｂ線断面図である。
【００７９】
図１０（ａ）及び図１０（ｂ）に示すように、階段腰壁７１は、上記第４の実施の形態と同様に、第１腰壁側板６２ａと、第２腰壁側板６２ｂと、笠木６３と、縦枠６４と、を備えており、さらに第１腰壁側板６２ａと第２腰壁側板６２ｂとが離間されて設置されていることにより階段腰壁７１は内部空間７２を有している。この場合に、内部空間７２には仕切板７３が設置されている。仕切板７３は格子状に設置されており、これにより内部空間７２は多数の共鳴室７４に分割されており、これら共鳴室７４は縦横に並んでいる。
【００８０】
第１腰壁側板６２ａには第１貫通孔部として第１円形孔７５が形成されているとともに、第２腰壁側板６２ｂには第２貫通孔部として第２円形孔７６が形成されている。これら第１円形孔７５及び第２円形孔７６は、１の共鳴室７４に対して少なくとも１組形成されている。本構成において具体的には、１の共鳴室７４に対して、第１円形孔７５及び第２円形孔７６の組合せが２組形成されている。
【００８１】
ちなみに、第１円形孔７５は、縦方向に列状に並んでいるとともに、その縦列が所定間隔を置いて横方向に複数並んでいる。また、第２円形孔７６は、第１円形孔７５と同様に、縦方向に列状に並んでいるとともに、その縦列が所定間隔を置いて横方向に複数並んでいる。また、第１円形孔７５及び第２円形孔７６の位置関係は階段腰壁７１の厚み方向に並ばないように設定されている。つまり、第２腰壁側板６２ｂにおいて第１円形孔７５と階段腰壁７１の厚み方向に並ぶ箇所には第２腰壁側板６２ｂの板部が位置しており、第１腰壁側板６２ａにおいて第２円形孔７６と階段腰壁７１の厚み方向に並ぶ箇所には第１腰壁側板６２ａの板部が位置している。
【００８２】
上記のとおり共鳴室７４、第１円形孔７５及び第２円形孔７６によって共鳴空間が形成されていることにより、特定周波数の音が当該共鳴空間において吸音される。つまり、１階スペース１２又は２階スペース１３の一方において発生した音であって階段スペース１４に伝搬してきた音は、第１円形孔７５又は第２円形孔７６を通じて共鳴空間に入り込むことで、当該共鳴空間の特定周波数に対応した音が共鳴により吸音される。これにより、階段スペース１４を通じて、２階スペース１３にて発生した音が１階スペース１２に伝搬したり、１階スペース１２にて発生した音が２階スペース１３に伝搬したりすることが抑制される。また、共鳴空間の周波数を低周波数側に設定することで、階段を昇降する際に踏板２１を踏むことで発生する音も吸音することが可能となる。
【００８３】
また、第１腰壁側板６２ａに第１円形孔７５を設けるとともに第２腰壁側板６２ｂに第２円形孔７６を設けたことにより、共鳴空間に音が入り込む機会が高められ、吸音を効果的に行うことができる。
【００８４】
また、第１円形孔７５及び第２円形孔７６の位置関係を階段腰壁７１の厚み方向に並ばないように設定したことにより、第１円形孔７５及び第２円形孔７６を設けることで共鳴空間に音が入り込む機会を高めた構成において、１階スペース１２又は２階スペース１３の光が円形孔７５，７６を通じて階段スペース１４に入り込むこと、及び階段スペース１４の光が円形孔７５，７６を通じて１階スペース１２又は２階スペース１３に入り込むことを阻止することができる。
【００８５】
さらには、第１円形孔７５又は第２円形孔７６の一方から共鳴室７４内に入った音が他方から共鳴室７４外に出ることも考えられるが、この場合に、上記のとおり第１円形孔７５及び第２円形孔７６の位置関係が階段腰壁７１の厚み方向に並ばないように設定されていることにより、圧力欠損が生じ吸音効果を高めることができる。
【００８６】
なお、本実施の形態において、仕切板７３の縦横の配置間隔を異ならせることで、各共鳴室７４のうち一部又は全部について容積を異ならせてもよい。この場合、共鳴空間において吸音することが可能な音の周波数が複数パターン設定されることとなり、多様な周波数の音を吸音することが可能となる。
【００８７】
また、共鳴室７４の容積を変更するのではなく、第１円形孔７５又は第２円形孔７６の少なくとも一方の開口面積を、各共鳴室７４の一部又は全部について異ならせてもよい。当該構成であっても、共鳴空間において吸音することが可能な音の周波数が複数パターン設定されることとなり、多様な周波数の音を吸音することが可能となる。
【００８８】
（他の実施の形態）
本発明は上記各実施形態の記載内容に限定されず、例えば次のように実施しても良い。
【００８９】
（１）階段スペース１４において、上記各実施の形態における吸音構造を相互に組合わせて適用してもよい。例えば、階段ユニット２０について、複数段のうち一部の段については上記第１の実施の形態における吸音材２９を用いた吸音構造を適用し、その他の段については上記第２の実施の形態における共鳴空間を用いた吸音構造を適用してもよい。また、階段腰壁６１，７１について、一部については上記第４の実施の形態における吸音材６８を用いた吸音構造を適用し、その他については上記第５の実施の形態における共鳴空間を用いた吸音構造を適用してもよい。また、階段ユニット２０に対しては上記第１の実施の形態、上記第２の実施の形態又は上記第３の実施の形態における吸音構造を適用し、階段腰壁６１，７１に対しては上記第４の実施の形態又は上記第５の実施の形態における吸音構造を適用してもよい。特に、吸音材２９，６８を用いた吸音構造と共鳴空間を用いた吸音構造とを組み合せて適用する場合、吸音材２９，６８において中・高周波数域の音を吸音するようにするとともに、共鳴空間において低周波数域の音を吸音するようにすることで、吸音を良好に行うことができる。
【００９０】
（２）上記第１〜第３の実施の形態では、下方領域に部屋３３が形成された階段ユニット２０に対して吸音構造を適用したが、下方領域が全てデッドスペースとなっている階段ユニット２０に対して吸音構造を適用してもよく、下方領域が通路となっている階段ユニット２０に対して吸音構造を適用してもよい。また、リビングなどの居室空間内に階段スペース１４が設置された建物に対して吸音構造を適用してもよい。また、上記各実施の形態における吸音構造は、階段スペース１４を有する任意の建物に適用することができ、２階建てに限らず３階建て以上の建物に適用することができる。また、ユニット式以外の建物にも適用することができる。
【００９１】
（３）上記第１〜第３の実施の形態において、階段ユニット２０の各段の内部空間２６，４２が直方体又は立方体となるように、石膏ボード２５や仕切板４１を設置してもよい。この場合、上記第１の実施の形態においては、比較的大型な吸音材２９を設置することが可能となる。また、上記第２，第３の実施の形態においては、内部空間４２の容積の大型化を図ることが可能となり、低周波数域の吸音を行うことが可能となる。
【００９２】
（４）上記第２，第３，第５の実施の形態では、複数の共鳴空間を形成するとともに、共鳴空間の容積を異ならせることにより、複数パターンの周波数の吸音を可能としたが、これに代えて、共鳴空間を複数形成しない又は複数の共鳴空間を形成したとしても各共鳴空間の容積を概ね同一とすることにより、略単一の周波数の吸音を行うようにしてもよい。この場合、所望の周波数の吸音効率を高めることができる。特に、上記第５の実施の形態において、仕切板７３を設けずに１の階段腰壁７１について単一の共鳴空間を形成することにより、共鳴空間の容積を比較的大きく確保することが可能となり、低周波数域の吸音を行うことが可能となる。
【００９３】
（５）上記第３の実施の形態では、階段ユニット２０における一部の段に対してのみ共鳴器５２を設置したが、これに代えて、全ての段に対して共鳴器５２を設置してもよい。
【００９４】
（６）上記第４，第５の実施の形態において、第１腰壁側板６２ａ又は第２腰壁側板６２ｂのうち一方にのみ貫通孔部を形成する構成としてもよい。この場合、上記第４，第５の実施の形態に比して吸音を行う機会が低減されるものの、階段スペース１４に伝搬してきた音の吸音を行うことは可能である。
【図面の簡単な説明】
【００９５】
【図１】第１の実施の形態における階段ユニットの構成を示す縦断面図。
【図２】２階建てユニット式建物の概要を示す略図。
【図３】階段ユニットの構成を示す斜視図。
【図４】蹴込み板の別形態を説明するための略図。
【図５】吸音材の組み付け箇所の別形態を説明するための略図。
【図６】階段ユニットの施工方法を説明するための略図。
【図７】第２の実施の形態における階段ユニットの構成を示す縦断面図。
【図８】（ａ）及び（ｂ）は第３の実施の形態における吸音構造を説明するための略図、（ｃ）は階段ユニットの構成を示す縦断面図。
【図９】（ａ）及び（ｂ）は第４の実施の形態における階段腰壁の構成を説明するための略図、（ｃ）はＡ―Ａ線断面図。
【図１０】（ａ）は第５の実施の形態における階段腰壁の構成を説明するための略図、（ｂ）はＢ―Ｂ線断面図。
【符号の説明】
【００９６】
１０…２階建てユニット式建物、１２…１階スペース、１３…２階スペース、１４…階段スペース、２０…階段ユニット、２１…踏板、２２…側板、２３…蹴込み板、２４…固定用木下地、２５…石膏ボード、２６…内部空間、２７…スリット、２９…吸音材、４１…仕切板、４２…内部空間、６１…階段腰壁、６２ａ…第１腰壁側板、６２ｂ…第２腰壁側板、６５…内部空間、６６…第１スリット、６７…第２スリット、６８…吸音材、７１…階段腰壁、７２…内部空間、７５…第１円形孔、７６…第２円形孔。
【図１】
0005225638.tif 000003
【図２】
0005225638.tif 000004
【図３】
0005225638.tif 000005
【図４】
0005225638.tif 000006
【図５】
0005225638.tif 000007
【図６】
0005225638.tif 000008
【図７】
0005225638.tif 000009
【図８】
0005225638.tif 000010
【図９】
0005225638.tif 000011
【図１０】
0005225638.tif 000012